(57)【要約】 【課題】  特定の領域で、電波を発信することなく着信の検出を可能にすることができる移動通信端末装置を提供する。【解決手段】  制御部Ａ１５は、ＧＰＳ電波受信部１２からＧＰＳ測位情報を受け取ると、受け取ったＧＰＳ測位情報を、無線部Ａ１１によってサーバ２０に送信し、オフライン指定エリアにいるか否かの判断を依頼する。無線部Ａ１１によってサーバ２０からオフラインモード移行の指示を受けると、オフライン開始処理を行い、オフラインモードに移行する。オフライン開始処理では、制御部Ａ１５は、情報の発信を行う発信機能を停止すると共に、無線部Ａ１１のＲＦ送信部１１１によるＲＦ信号の発信を停止させる。ＲＦ受信部１１２は、ＲＦ信号を受信可能であるので、オフラインモードであっても、サーバ２０から送信される情報を受信することができる。【選択図】      図２
2006333363.tif 000002
【特許請求の範囲】
【請求項１】
情報を発信する発信手段と、
情報の着信を検出する着信検出手段と、
現在位置が特定領域内であるか否かを認識する特定領域認識手段と、
その特定領域認識手段によって、現在位置が特定領域内であると認識された場合、前記着信検出手段による着信検出動作をさせながら、前記発信手段による発信動作を停止させる制御手段とを含むことを特徴とする移動通信端末装置。
【請求項２】
ＲＦ信号を送信するＲＦ送信手段と、
ＲＦ信号を受信するＲＦ受信手段と、
現在位置が特定領域内であるか否かを認識する特定領域認識手段と、
その特定領域認識手段によって、現在位置が特定領域内であると認識された場合、前記ＲＦ受信手段による受信動作をさせながら、前記ＲＦ送信手段による送信動作を停止させる制御手段とを含むことを特徴とする移動通信端末装置。
【請求項３】
前記特定領域認識手段は、
現在位置が特定領域内であるか否かを表す情報を受信する受信手段を含み、
その受信手段が受信した前記情報に基づいて、現在位置が予め定める特定領域内であるか否かを認識することを特徴とする請求項１または２に記載の移動通信端末装置。
【請求項４】
前記特定領域認識手段は、
現在位置を示すまたは導出するための現在位置情報を取得する取得手段と、
特定領域を示す特定領域情報を記憶する記憶手段と、
前記現在位置情報に基づく現在位置が、前記特定領域に位置するか否かを判定する特定領域判定手段とを含み、
その特定領域判定手段の判定結果に基づいて、現在位置が予め定める特定領域内であるか否かを認識することを特徴とする請求項１〜３のいずれか１つに記載の移動通信端末装置。
【請求項５】
前記特定領域認識手段は、
現在位置に関連する特定領域情報を受信する受信手段をさらに含み、
その受信手段によって受信された特定領域情報を前記記憶手段に記憶することを特徴とする請求項４に記載の移動通信端末装置。
【請求項６】
前記発信手段による発信動作の停止、または前記ＲＦ送信手段による送信動作の停止を通知する、動作停止通知手段をさらに含むことを特徴とする請求項１〜５のいずれか１つに記載の移動通信端末装置。
【請求項７】
前記着信検出手段が検出した着信が、所定の条件を満足するか否かを判別する特定着信判別手段と、
前記所定の条件を満足すると判別された場合、着信情報を通知する着信通知手段とをさらに含むことを特徴とする請求項１〜６のいずれか１つに記載の移動通信端末装置。
【請求項８】
前記所定の条件は、前記検出した着信の発信者が所定の発信者であることを特徴とする請求項７に記載の移動通信端末装置。
【請求項９】
前記制御手段は、前記特定領域認識手段が現在位置を特定領域外であると認識すると、前記発信手段による発信動作の停止または前記ＲＦ送信手段による送信動作の停止を解除させることを特徴とする請求項１〜８のいずれか１つに記載の移動通信端末装置。
【請求項１０】
発信先を入力する入力手段と、
入力された発信先が特定の宛先であるか否かを判別する発信先判別手段とをさらに含み、
前記制御手段は、前記入力された発信先が特定の宛先であると判別された場合、前記発信手段による発信動作または前記ＲＦ送信手段による送信動作の停止を解除させることを特徴とする請求項１〜９のいずれか１つに記載の移動通信端末装置。
【請求項１１】
情報を発信する発信手段と、
情報の着信を検出する着信検出手段と、
発信動作の停止を指示する発信停止指示手段と、
その発信停止指示手段によって発信の停止が指示されると、前記着信検出手段による着信検出動作をさせながら、前記発信手段による発信動作を停止させる制御手段とを含むことを特徴とする移動通信端末装置。
【請求項１２】
移動通信端末装置と通信を行う通信手段と、
情報の発信動作を停止している特定移動通信端末装置を認識する特定移動通信端末認識手段と、
前記認識された特定移動通信端末装置に、他の通信端末装置から着信があった場合、前記通信手段によって、その着信を示す着信通知情報を送信させる制御手段とを含むことを特徴とする情報処理装置。
【請求項１３】
前記特定移動通信端末装置に、他の通信端末装置から着信があった場合、所定の条件を満足するか否かを判別する特定着信判別手段をさらに含み、
前記制御手段は、その特定着信判別手段が所定の条件を満足すると判別した場合、前記通信手段によって、その着信を示す着信通知情報を送信させることを特徴とする請求項１２に記載の情報処理装置。
【請求項１４】
他の通信端末装置と通信を行う第２の通信手段をさらに含み、
前記所定の条件は、他の通信端末装置から特定移動通信端末装置に着信があったとき、前記第２の通信手段が、発信元の通信端末装置から、特定の指示を受信したことを条件とすることを特徴とする請求項１３に記載の情報処理装置。
【請求項１５】
前記特定移動通信端末装置に、他の通信端末装置から着信があった場合、その着信を示す着信記録情報を記憶する着信記録情報記憶手段をさらに含み、
前記制御手段は、前記特定移動通信端末装置が発信動作の停止を解除した場合、前記通信手段によって、前記記憶された着信記録情報を送信させることを特徴とする請求項１２〜１４のいずれか１つに記載の情報処理装置。
【発明の詳細な説明】
【技術分野】
【０００１】
本発明は、特定の領域に位置するときまたは特定の指示がなされたときに、着信検出をさせながら発信を停止する移動通信端末装置および移動通信端末装置と通信を行う情報処理装置に関する。
【背景技術】
【０００２】
携帯電話機、あるいは通信機能付きのＰＤＡ（Personal Digital Assistance）などの移動通信端末装置は、利用者によって携帯され、電波によって情報の送受信を行うことができる。しかし、電波の発信が禁止されている場所、たとえば電磁波による影響を受ける電子機器を使用している場所などの特定の領域では、電波を発信させないために、利用者が移動通信端末装置の電源を切断する必要がある。しかし、電源の切断を利用者の操作に依存していると、電源の切り忘れによって、特定の領域でも電波が発信されることがある。
【０００３】
特定の領域で発信を停止するための第１の従来技術として、制限エリアに入ったとき、発信を制限すると共に着信音をオフにする移動端末の利用制限システムがある。この移動端末の利用制限システムは、制限エリアであることを示す利用制限信号を報知する利用制限通知装置から、利用制限信号を受信することによって、発信を制限すると共に着信音をオフにするものである（たとえば特許文献１参照）。
【０００４】
第２の従来技術として、携帯電話機の使用を禁止させたい場所では、携帯電話機のページャ機能のみを使用可能とする移動無線装置がある。この移動無線装置は、携帯電話機にページャ機能を設け、モード切替信号を送出するモード切替信号送出手段から、モード切替信号を受信すると、携帯電話機の通話を不可とし、ページャ機能を働かせ、着信のみ可能とするものである（たとえば特許文献２参照）。
【０００５】
第３の従来技術として、通信装置の存在する場所毎に定められた制御を行う通信装置がある。この通信装置は、位置情報を送信する位置情報報知器あるいはＧＰＳ（Global
Positioning System）によって、通信装置の存在する場所を認識し、音声通話による発信を制限、着信音の鳴動を中止、動作モードを切り替え、出力電力を制御、あるいは動作を停止させるものである（たとえば特許文献３参照）。
【０００６】
第４の従来技術として、移動局装置の電波が周辺装置等に悪影響を及ぼす場所あるいは使用禁止場所で、移動局装置の電波が悪影響を及ぼさないようにする、あるいはその場所で着信することができる移動体通信システムがある。この移動体通信システムは、移動局装置が携帯電話使用禁止場所に設けられた発信装置から信号を受信すると、着信を無音で所持者に通知する処理のみを可能とするものである（たとえば特許文献４参照）。
【０００７】
第５の従来技術として、規制エリアでの無線送信を規制する位置情報通信端末がある。この位置情報通信端末は、現在位置を所定の宛先に自動無線送信するものであり、ＧＰＳ測位によって得られた現在位置が規制エリア内であると、無線部の送信機能を停止させるものである（たとえば特許文献５参照）。
【０００８】
第６の従来技術として、送信禁止状態つまりマナーモードにある携帯通信端末に対する着信を、マナーモードが解除されたときに、確実に携帯通信端末に認識させることができる携帯通信システムがある。この携帯通信システムは、通信管理センタが、マナーモードにある携帯通信端末に対する着信があったとき、その着信に基づく着信発生情報を記憶すると共に、その着信発生情報を携帯通信端末に送信し、マナーモードが解除されたとき、記憶したすべての着信発生情報を携帯通信端末に再度送信することによって、マナーモードにある携帯通信端末に対する着信を、確実に携帯通信端末に認識させるものである（たとえば特許文献６参照）。
【０００９】
【特許文献１】特開２００１−２５０５９号公報
【特許文献２】特開平７−２４５７８２号公報
【特許文献３】特開２００４−２４７８１９号公報
【特許文献４】特開２００１−２６８６４１号公報
【特許文献５】特開２００３−１８９３６５号公報
【特許文献６】特開２００２−３４４６３４号公報
【発明の開示】
【発明が解決しようとする課題】
【００１０】
第１の従来技術は、利用制限信号を受信することによって、発信を制限すると共に着信音をオフにするものであるが、位置登録確認動作（移動端末がどこに位置し、どの基地局を使用して通信するかを定期的に確認し、サーバに登録する動作）のため、あるいは着信データを取得するために、ＲＦ（Radio Frequency）信号を発信する必要があるので、電波を発信する機器が制限されているエリアでは、使用することができないという問題がある。
【００１１】
第２の従来技術は、モード切替信号を受信すると、携帯電話機の通話を不可とし、ページャ機能を働かせ、着信のみ可能とするものであるが、ページャ機能を設ける必要があり、ページャ機能を実現するための回路、ページャ通信網、およびページャ通信契約が必要になるという問題がある。
【００１２】
第３の従来技術は、位置情報報知器あるいはＧＰＳによって、通信装置の存在する場所を認識し、通信装置を制御するものであるが、音声通話による発信の制限、着信音の鳴動の中止、動作モードの切り替え、および出力電力の制御を行っても、位置登録動作あるいは着信を行うときにＲＦ信号を発信し、電波を発信する機器が制限されているエリアでは、使用することができないという問題がある。さらに、動作を停止させてしまうと着信もできないという問題がある。
【００１３】
第４の従来技術は、携帯電話使用禁止場所では、移動局装置は、着信を無音で所持者に通知する処理のみを可能とするものであるが、ＲＦ信号を発信しなければ携帯電話機の位置確認および登録処理が行えないため、交換局設備のシステム変更を伴わずに無音通知サービスを実現することができない。データ通信の場合は、データを受信する処理を行うために、ＲＦ信号を発信するので、電波を発信する機器が制限されているエリアでは、使用することができないという問題がある。
【００１４】
第５の従来技術は、ＧＰＳ測位によって得られた現在位置が規制エリア内であると、無線部の送信機能をたとえば無線部に対する電源供給の停止等により禁止させるものであるが、無線部に対する電源供給を停止すると、着信も検出することもできないという問題がある。
【００１５】
第６の従来技術は、通信管理センタが、マナーモードにある携帯通信端末に対する着信があったとき、その着信に基づく着信発生情報を記憶すると共に、その着信発生情報を携帯通信端末に送信し、マナーモードが解除されたとき、記憶したすべての着信発生情報を携帯通信端末に再度送信するものである。しかし、マナーモードでは、着信するときにＲＦ信号を発信し、電波を発信する機器が制限されているエリアでは、使用することができないという問題がある。
【００１６】
本発明の目的は、特定の領域で、電波を発信することなく着信の検出を可能にすることができる移動通信端末装置および移動通信端末装置と通信を行う情報処理装置を提供することである。
【課題を解決するための手段】
【００１７】
本発明は、情報を発信する発信手段と、
情報の着信を検出する着信検出手段と、
現在位置が特定領域内であるか否かを認識する特定領域認識手段と、
その特定領域認識手段によって、現在位置が特定領域内であると認識された場合、前記着信検出手段による着信検出動作をさせながら、前記発信手段による発信動作を停止させる制御手段とを含むことを特徴とする移動通信端末装置である。
【００１８】
本発明に従えば、発信手段によって、情報が発信され、着信検出手段によって、情報の着信が検出され、特定領域認識手段によって、現在位置が特定領域内であるか否かが認識され、制御手段によって、その特定領域認識手段によって現在位置が特定領域内であると認識された場合、前記着信検出手段による着信検出動作をさせながら、前記発信手段による発信動作が停止される。
【００１９】
このように、現在位置が特定領域内であると認識されると、発信手段による発信動作が停止されるので、特定領域に位置していると、情報の発信を行う発信機能を停止することができる。
【００２０】
また本発明は、ＲＦ信号を送信すると、
ＲＦ信号を受信するＲＦ受信手段と、
現在位置が特定領域内であるか否かを認識する特定領域認識手段と、
その特定領域認識手段によって、現在位置が特定領域内であると認識された場合、前記ＲＦ受信手段による受信動作をさせながら、前記ＲＦ送信手段による送信動作を停止させる制御手段とを含むことを特徴とする移動通信端末装置である。
【００２１】
本発明に従えば、ＲＦ送信手段によって、ＲＦ信号が送信され、ＲＦ受信手段によって、ＲＦ信号が受信され、特定領域認識手段によって、現在位置が特定領域内であるか否かが認識され、制御手段によって、その特定領域認識手段によって現在位置が特定領域内であると認識された場合、前記ＲＦ受信手段による受信動作をさせながら、前記ＲＦ送信手段による送信動作が停止される。
【００２２】
このように、現在位置が特定領域内であると認識されると、ＲＦ送信手段にＲＦ信号の送信を停止させるので、一切の電波を発信することがない。
【００２３】
また本発明は、前記特定領域認識手段は、
現在位置が特定領域内であるか否かを表す情報を受信する受信手段を含み、
その受信手段が受信した前記情報に基づいて、現在位置が予め定める特定領域内であるか否かを認識することを特徴とする。
【００２４】
本発明に従えば、現在位置が特定領域に位置するか否かを表す情報を受信するので、移動通信端末装置は、特定領域を示す大量のデータを記憶する必要がない。
【００２５】
また本発明は、前記特定領域認識手段は、
現在位置を示すまたは導出するための現在位置情報を取得する取得手段と、
特定領域を示す特定領域情報を記憶する記憶手段と、
前記現在位置情報に基づく現在位置が、前記特定領域に位置するか否かを判定する特定領域判定手段とを含み、
その特定領域判定手段の判定結果に基づいて、現在位置が予め定める特定領域内であるか否かを認識することを特徴とする。
【００２６】
本発明に従えば、移動通信端末装置に記憶した特定領域情報に基づいて、特定領域に位置するか否かを判定するので、外部の装置が保有する特定領域情報とは独立の特定領域情報を用いることができ、かつ現在位置情報等を送受信しなくてもよい。
【００２７】
また本発明は、前記特定領域認識手段は、
現在位置に関連する特定領域情報を受信する受信手段をさらに含み、
その受信手段によって受信された特定領域情報を前記記憶手段に記憶することを特徴とする。
【００２８】
本発明に従えば、現在位置に関連する特定領域情報のみを受信して、記憶手段に記憶するので、すべての特定領域情報を情報処理装置から受信する必要がなく、さらにすべての特定領域情報を移動通信端末装置に記憶する必要がない。
【００２９】
また本発明は、前記発信手段による発信動作の停止、または前記ＲＦ送信手段による送信動作の停止を通知する、動作停止通知手段をさらに含むことを特徴とする。
【００３０】
本発明に従えば、発信手段による発信動作の停止、またはＲＦ送信手段による送信動作の停止を通知するので、移動通信端末装置が発信動作または送信動作を停止したことを認識することができる。
【００３１】
また本発明は、前記着信検出手段が検出した着信が、所定の条件を満足するか否かを判別する特定着信判別手段と、
前記所定の条件を満足すると判別された場合、着信情報を通知する着信通知手段とをさらに含むことを特徴とする。
【００３２】
本発明に従えば、着信が所定の条件を満足するか否かを判定することができるので、所定の条件を満足する着信のみ表示することができる。
【００３３】
また本発明は、前記所定の条件は、前記検出した着信の発信者が所定の発信者であることを特徴とする。
【００３４】
本発明に従えば、所定の条件を、所定の発信者であることとするので、発信者に応じて、緊急または重要であるか否かを判定することができる。
【００３５】
また本発明は、前記制御手段は、前記特定領域認識手段が現在位置を特定領域外であると認識すると、前記発信手段による発信動作の停止または前記ＲＦ送信手段による送信動作の停止を解除させることを特徴とする。
【００３６】
本発明に従えば、現在位置が特定領域外であると認識されると、発信手段による発信動作の停止または前記ＲＦ送信手段による送信動作の停止が解除されるので、特定領域外に出ることによって、情報の発信を行うことができる。
【００３７】
また本発明は、発信先を入力する入力手段と、
入力された発信先が特定の宛先であるか否かを判別する発信先判別手段とをさらに含み、
前記制御手段は、前記入力された発信先が特定の宛先であると判別された場合、前記発信手段による発信動作または前記ＲＦ送信手段による送信動作の停止を解除させることを特徴とする。
【００３８】
本発明に従えば、特定の宛先に一致する発信先が入力されると、発信手段による発信の停止または前記ＲＦ送信手段による送信動作を解除させるので、その発信先に発信することができる。
【００３９】
また本発明は、情報を発信する発信手段と、
情報の着信を検出する着信検出手段と、
発信動作の停止を指示する発信停止指示手段と、
その発信停止指示手段によって発信の停止が指示されると、前記着信検出手段による着信検出動作をさせながら、前記発信手段による発信動作を停止させる制御手段とを含むことを特徴とする移動通信端末装置である。
【００４０】
本発明に従えば、情報を発信する発信手段と情報の着信を検出する着信検出手段とを含む移動通信端末装置は、発信の停止を指示する発信停止指示手段を有するので、発信停止指示手段の指示によって、発信手段に発信動作を停止させることができる。
【００４１】
また本発明は、移動通信端末装置と通信を行う通信手段と、
情報の発信動作を停止している特定移動通信端末装置を認識する特定移動通信端末認識手段と、
前記認識された特定移動通信端末装置に、他の通信端末装置から着信があった場合、前記通信手段によって、その着信を示す着信通知情報を送信させる制御手段とを含むことを特徴とする情報処理装置である。
【００４２】
本発明に従えば、通信手段によって、移動通信端末装置と通信が行なわれ、特定移動通信端末認識手段によって、情報の発信動作を停止している特定移動通信端末装置が認識され、制御手段によって、前記認識された特定移動通信端末装置に、他の通信端末装置から着信があった場合、前記特定移動通信端末装置からの電波を受信していない状態であっても、前記通信手段によって、その着信を示す着信通知情報が送信される。
【００４３】
このように、情報の発信動作を停止している特定移動通信端末装置に対して、その特定移動通信端末装置への着信通知情報を送信するので、移動通信端末装置はその着信通知情報を受信することができる。
【００４４】
また本発明は、前記特定移動通信端末装置に、他の通信端末装置から着信があった場合、所定の条件を満足するか否かを判別する特定着信判別手段をさらに含み、
前記制御手段は、その特定着信判別手段が所定の条件を満足すると判別した場合、前記通信手段によって、その着信を示す着信通知情報を送信させることを特徴とする。
【００４５】
本発明に従えば、着信が所定の条件を満足するか否かを判定することができるので、所定の条件を満足する着信のみ、移動通信端末装置に送信することができる。
【００４６】
また本発明は、他の通信端末装置と通信を行う第２の通信手段をさらに含み、
前記所定の条件は、他の通信端末装置から特定移動通信端末装置に着信があったとき、前記第２の通信手段が、発信元の通信端末装置から、特定の指示を受信したことを条件とすることを特徴とする。
【００４７】
本発明に従えば、所定の条件は、発信元の通信端末装置から、特定の指示を受信したことを条件とするので、発信元が特定の指示を送信することができる。
【００４８】
また本発明は、前記特定移動通信端末装置に、他の通信端末装置から着信があった場合、その着信を示す着信記録情報を記憶する着信記録情報記憶手段をさらに含み、
前記制御手段は、前記特定移動通信端末装置が発信動作の停止を解除した場合、前記通信手段によって、前記記憶された着信記録情報を送信させることを特徴とする。
【００４９】
本発明に従えば、特定移動通信端末装置への着信を着信記録情報として記憶しておくので、オフラインモードが解除されたとき、移動通信端末装置に着信記録情報を送信することができる。
【発明の効果】
【００５０】
本発明によれば、現在位置が特定領域に位置していると、情報の着信を検出する着信検出機能を維持させながら、情報の発信を行う発信機能を停止するので、情報の発信を停止して、情報の着信を検出することができる。
【００５１】
また本発明によれば、現在位置が特定領域に位置していると、一切の電波を発信することがないので、電波を発信することなく着信の検出を可能にすることができる。
【００５２】
また本発明によれば、移動通信端末装置は、特定領域を示す大量のデータを記憶する必要がないので、移動通信端末装置のメモリ容量を少なくし、装置を小型化、軽量化、および低価格化することができる。
【００５３】
また本発明によれば、外部の装置が保有する特定領域情報とは独立の特定領域情報を用いることができ、かつ現在位置情報等を送受信しなくてもよいので、ユーザ独自の特定領域を設定することができ、さらに単独測位によって座標位置の計算を行う場合には、情報処理装置とＧＰＳ測位情報などを送受信しなくてもよいので通信料金がかからない。
【００５４】
また本発明によれば、すべての特定領域情報を情報処理装置から受信する必要がなく、さらにすべての特定領域情報を移動通信端末装置に記憶する必要がないので、通信情報量を減らすことができ、かつ移動通信端末装置のメモリ容量を少なくすることができる。
【００５５】
また本発明によれば、移動通信端末装置が発信動作または送信動作を停止したことを認識することができる。
【００５６】
また本発明によれば、所定の条件を満足する着信のみ表示することができるので、たとえば緊急性あるいは重要性のある着信のみユーザに通知することができる。
【００５７】
また本発明によれば、発信者に応じて、緊急または重要であるか否かを判定することができるので、特定の相手からの着信のみユーザに通知することができる。
【００５８】
また本発明によれば、特定領域外に出ることによって、情報の発信を行うことができる状態になる。
【００５９】
また本発明によれば、緊急に連絡を要する可能性のある発信先、たとえば発信番号を特定の宛先、たとえば予め定める発信番号として登録しておくことによって、オフラインモードでも、その発信番号を入力するだけで緊急の通話を行うことができる。予め定める発信番号とは、緊急特番、たとえば日本の場合であれば、警察は「１１０」、消防は「１１９」、および海上保安は「１１８」などの緊急特番としてメーカーが出荷時に予め登録しておく番号、あるいは所持者が独自に設定する番号である。
【００６０】
また本発明によれば、発信停止指示手段の指示によって、情報の発信を停止することができるので、人手操作によって、情報の発信を停止することができる。
【００６１】
また本発明によれば、オフラインモード中であっても、情報処理装置は着信通知情報を送信するので、移動通信端末装置は、着信通知情報を受信することができる。
【００６２】
また本発明によれば、所定の条件を満足する着信のみ、移動通信端末装置に送信するので、たとえば緊急性あるいは重要性のある着信のみ、移動通信端末装置に送信することができる。
【００６３】
また本発明によれば、発信元が特定の指示を送信することができるので、発信者の意思によって緊急または重要な情報を移動通信端末装置に通知することができる。
【００６４】
また本発明によれば、オフラインモードが解除されたとき、移動通信端末装置に着信記録情報を送信することができるので、移動通信端末装置は、オフラインモード中の着信を確実に受け取ることができる。
【発明を実施するための最良の形態】
【００６５】
図１は、本発明の実施の一形態である移動通信システム１の動作を説明するための図である。この図は、移動通信端末装置である携帯電話機１０が、電波の発信が許可されている通信許可エリアから、電波の発信が制限されているオフライン指定エリアに入り、その後オフライン指定エリアを出て、通信許可エリアに戻る例を示している。携帯電話機１０は、時間経過と共に携帯電話機１０ａの位置から携帯電話機１０ｅの位置まで移動している。
【００６６】
移動通信システム１は、たとえば、無線基地局またはサーバ２０が設置された交換機設備である交換局（以下、無線基地局または交換局を、省略して交換局ともいう）３０，３１、および携帯電話機１０を含む。図１は、交換局３０の通話圏内を移動中の携帯電話機１０の動作を説明する図である。境界線４０の外側である通信許可エリアから境界線４０の内側であるオフライン指定エリアに移動し、さらに境界線４０を超えて通信許可エリアに移動することを示している。図１に示した点線矢印は、交換局３０と携帯電話機１０との間の通信方向を示す。オフライン指定エリアは、たとえば病院の建物の中など、電波の影響を受ける可能性のある電子機器などが設置されている領域である。
【００６７】
通信許可エリアに位置する携帯電話機１０ａは、通常処理を行い、たとえば交換局３０を介して、他の通信端末装置と通信することができる。他の通信端末装置は、たとえば移動通信端末装置、固定電話機、およびＩＰ電話を含む通信端末装置である。携帯電話機１０が、携帯電話機１０ａの位置から携帯電話機１０ｂの位置まで移動し、通信許可エリアからオフライン指定エリアに入ると、携帯電話機１０は、交換局３０との間でオフライン開始処理を行い、オフラインモードに移行する。
【００６８】
オフラインモードの携帯電話機１０ｃは、電波、たとえばＲＦ（Radio Frequency）信号の受信を行うが、発信は行わない。携帯電話機１０が、携帯電話機１０ｄの位置から携帯電話機１０ｅの位置まで移動し、オフライン指定エリアから通信許可エリアに出ると、携帯電話機１０は、交換局３０との間でオフライン終了処理を行い、オフラインモードを解除する。通信許可エリアに戻った携帯電話機１０ｅは、通常処理を行うことができる。
【００６９】
無線基地局は、位置登録確認動作を行うことによって携帯電話機１０の位置を確認するが、携帯電話機１０がオフライン指定エリアに入り、オフラインモードになると、携帯電話機１０はＲＦ信号を発信しないので、無線基地局は携帯電話機１０の位置を位置登録確認動作によって追跡することができなくなる。しかしながら、携帯電話機１０がオフライン指定エリアに入る直前まで、その携帯電話機１０を収容している無線基地局は確定しているので、携帯電話機１０がそのオフライン指定エリアに所在する限り、携帯電話機１０は、その無線基地局からの情報を受信することができる位置に所在する。したがって、無線基地局が、オフライン指定エリアに所在する携帯電話機１０を収容していることを記憶しておけば、無線基地局から携帯電話機１０に情報を送信することができる。すなわち携帯電話機１０がオフライン指定エリアに所在する限り、携帯電話機１０がＲＦ信号を発信しなくても、携帯電話機１０は、無線基地局からの情報を受信することができる。
【００７０】
図２は、図１に示した携帯電話機１０の構成を示すブロック図である。携帯電話機１０は、無線部Ａ１１、ＧＰＳ（Global Positioning System）電波受信部１２、ユーザ設定データベース部１３、端末情報記憶部Ａ１４、制御部Ａ１５、入力部１６、および通知部１７を含んで構成される。無線部Ａ１１は、ＲＦ信号を送信するＲＦ送信部１１１およびＲＦ信号を受信するＲＦ受信部１１２を含み、制御部Ａ１５の指示に従い、無線基地局または交換局との間で無線通信を行う。
【００７１】
ＧＰＳ電波受信部１２は、ＧＰＳ衛星からの電波を受信し、ＧＰＳ測位情報を抽出して制御部Ａ１５に送出する。ＧＰＳ測位情報は、現在位置を算出するための現在位置情報である。ユーザ設定データベース部１３は、オフライン指定エリアを示すオフライン指定エリア情報、たとえばオフライン指定エリアを示す地図情報をデータベースとして記憶する記憶装置である。記憶装置は、たとえばフラッシュメモリなどの不揮発性の半導体メモリで構成される。オフライン指定エリア情報は、緯度、経度、高度、住所、建物名、建物の種類、電話番号、および通信の可否を示す情報のいずれかあるいはすべてを含む。オフライン指定エリア情報が、交換機３０側で記憶されるときは、ユーザ設定データベース部１３として記憶しなくてもよい。
【００７２】
端末情報記憶部Ａ１４は、通信していた交換局に関する最新の情報あるいは携帯電話機１０の動作モードなどの端末情報を記憶する記憶装置であり、たとえば半導体メモリで構成される。制御部Ａ１５は、たとえばＣＰＵ（Central Processing Unit）で構成され、ＣＰＵに含まれるメモリに記憶されるプログラムを実行することによって、携帯電話機１０全体の制御および演算を行うものである。
【００７３】
入力部１６は、たとえば数字および文字などを入力するキー、ジョグダイヤル、ジョイスティック、ポインティングデバイス、マイク、カメラなどで構成され、電話番号の入力、選択、およびメールの作成などを行うための入力装置である。通知部１７は、各種の状態、着信の有無、発信者番号、着信メールなどの情報をユーザに通知するための通知装置であり、たとえば液晶ディスプレイなどの表示画面を有する表示装置、スピーカなどの発音装置、振動モータなどの振動装置等である。入力装置および表示装置として、入力装置と表示装置とを一体化したタッチパネルなどを用いてもよい。
【００７４】
制御部Ａ１５は、ＧＰＳ電波受信部１２からＧＰＳ測位情報を受け取ると、緯度、経度、および高度によって特定される現在位置の座標計算を行い、ユーザ設定データベース部１３に記憶されたオフライン指定エリア情報と照合し、現在位置がオフライン指定エリアに位置しているか否かの判断を行う。制御部Ａ１５はまた、ＧＰＳ電波受信部１２からＧＰＳ測位情報を受け取ると、受け取ったＧＰＳ測位情報を、無線部Ａ１１によってサーバ２０に送信し、オフライン指定エリアに位置しているか否かの判断を依頼する。
【００７５】
制御部Ａ１５は、現在位置がオフライン指定エリアに位置していると判断すると、あるいは無線部Ａ１１によってサーバ２０から、現在位置がオフライン指定エリアに位置しているとの判断に基づいて、オフラインモード移行の指示を受けると、オフライン開始処理を行い、オフラインモードに移行する。制御部Ａ１５は、通知部１７によって、オフラインモードに移行したことをメッセージ出力あるいはアイコン表示などでユーザに通知する。オフライン開始処理では、制御部Ａ１５は、オフラインモードへの移行をサーバ２０に通知し、現在位置に関連する関連オフライン指定エリア情報を、ユーザ設定データベース部１３から取得して、あるいは無線部Ａ１１によってサーバ２０から取得して、端末情報記憶部Ａ１４に記憶する。さらに情報の発信を行う発信機能を停止すると共に、無線部Ａ１１のＲＦ送信部１１１によるＲＦ信号の送信を停止させる。ＲＦ送信部１１１によるＲＦ信号の送信を停止しても、着信処理を行う着信機能は働いており、つまりＲＦ受信部１１２がＲＦ信号を受信可能であるので、オフラインモードであっても、サーバ２０からの着信を検出することができる。制御部Ａ１５は、通知部１７によって、着信を検出したことをユーザに通知する。
【００７６】
オフラインモードでは、情報の発信を行う発信機能を停止すると共に無線部Ａ１１のＲＦ送信部１１１によるＲＦ信号の送信を停止させたが、たとえば着信機能のために若干の（短時間のまたは低出力の）電波の発信が許される場合は、着信機能のためのＲＦ信号の送信は停止させなくてもよい。
【００７７】
発信機能および着信機能は、制御部Ａ１５がプログラムを実行することによって実現される機能である。このように、現在位置が、特定領域、つまりオフライン指定エリア内であると認識されると、着信検出機能による着信検出動作は維持したまま、発信機能による発信動作が停止されるので、情報の発信を停止して、情報の着信を検出することができる。
【００７８】
さらに、現在位置が特定領域、つまりオフライン指定エリア内であると認識されると、さらにＲＦ送信部１１１によるＲＦ信号の送信を停止させるので、一切の電波を発信することがない。したがって、現在位置が特定領域に位置していると、電波を発信することなく着信の検出を可能にすることができる。
【００７９】
オフラインモードでは、制御部Ａ１５は、ＧＰＳ電波受信部１２からＧＰＳ測位情報を受け取ると、緯度、経度、および高度によって特定される現在位置の座標計算を行い、端末情報記憶部Ａ１４に記憶した関連オフライン指定エリア情報と照合し、オフライン指定エリアに位置しているか否かの判断を行う。オフライン指定エリア外であると判断すると、オフライン終了処理を行う。オフライン終了処理では、制御部Ａ１５は、オフラインモードを解除し、すなわち、発信機能の停止を解除すると共に、無線部Ａ１１のＲＦ送信部１１１によるＲＦ信号の送信の停止を解除し、オフラインモードの解除をサーバ２０に通知する。サーバ２０からオフラインモード中の着信を示す着信記録情報を受信し、未受信のメッセージなどを端末情報記憶部Ａ１４に記憶するとともに通知部１７によって、ユーザに通知する。
【００８０】
図３は、図１に示した無線基地局または交換局３０に設置されるサーバ２０の構成を示すブロック図である。情報処理装置であるサーバ２０は、無線基地局または交換局３０に設置される交換設備であり、無線部Ｂ２１、オフライン指定エリアデータベース部２２、留守番応答サービス部２３、端末情報記憶部Ｂ２４、および制御部Ｂ２５を含んで構成される。
【００８１】
無線部Ｂ２１は、携帯電話機１０と無線通信を行う。オフライン指定エリアデータベース部２２は、オフライン指定エリア情報、たとえばオフライン指定エリアを示す地図情報を、データベースとして記憶する磁気ディスク装置などの記憶装置である。オフライン指定エリア情報が、携帯電話機１０側で記憶されるときは、オフライン指定エリアデータベース部２２として記憶しなくてもよい。
【００８２】
留守番応答サービス部２３は、携帯電話機１０が応答できないときなどに、発呼あるいは電子メールを受信すると、それぞれ発呼情報あるいは受信した電子メールを記憶するなどの留守番応答サービスを行う。端末情報記憶部Ｂ２４は、通常動作モード、オフラインモード、マナーモード、およびドライブモードなどの携帯電話機の動作モード、ならびに最後に通信を行った無線基地局の情報など、携帯電話機に関する状態情報を記憶する磁気ディスク装置などの記憶装置である。制御部Ｂ２５は、たとえばＣＰＵで構成され、ＣＰＵに含まれるメモリに記憶されるプログラムを実行することによって、サーバ２０全体の制御および演算を行う。
【００８３】
制御部Ｂ２５は、無線部Ｂ２１によって携帯電話機１０からＧＰＳ測位情報を受信すると、受信したＧＰＳ測位情報に基づいて緯度、経度、および高度によって特定される現在位置の座標計算を、ＡＧＰＳ（Assisted GPS）技術等によって高速かつ高精度に行い、オフライン指定エリアデータベース部２２に記憶されたオフライン指定エリア情報と照合し、現在位置がオフライン指定エリアに位置しているか否かの判断を行う。
【００８４】
現在位置がオフライン指定エリアに位置していると判断したとき、あるいは無線部Ｂ２１によって携帯電話機１０からオフラインモード移行要求を受信したとき、携帯電話機１０が収容されている無線基地局等の所在位置関連情報を定期的に確認して登録する位置登録確認動作を停止する。さらに現在収容されている無線基地局等の所在位置関連情報、つまり携帯電話機１０が位置するオフライン指定エリアを管理する無線基地局を示す情報を端末情報記憶部Ｂ２４に記憶する。サーバ２０は、端末情報記憶部Ｂ２４にオフライン指定エリアに所在する携帯電話機１０の所在位置関連情報を記憶するので、オフラインモードの携帯電話機１０からＲＦ信号が送信されなくても、携帯電話機１０が収容されている無線基地局を認識することができ、オフラインモードの携帯電話機１０に対する着信などの着信通知情報を送信することができる。
【００８５】
制御部Ｂ２５は、オフラインモードの携帯電話機１０、つまり電波を受信していない状態である携帯電話機１０への音声通話の着信あるいは電子メールなどの着信があるか否かを監視し、緊急または重要な着信があったとき、緊急または重要な着信を示す着信通知情報であるメッセージを作成し、携帯電話機１０に送信する。緊急または重要であるか否かは、たとえばオフラインモードになってからの着信回数が所定の着信回数以上になったか否か、所定の期間内の着信回数が所定の着信回数以上になったか否か、発信者が所定の発信者であるか否か、あるいは発信者から緊急もしくは重要である旨の指示があるか否かなどの条件によって判定することができる。
【００８６】
緊急または重要であることを示す発信者からの指示は、たとえば発信者に緊急または重要であるか否かを確認するための確認情報を送信し、その確認情報に応答して返信される緊急または重要であることを表す応答情報によって実現することができる。具体的には、留守番応答サービス部２３は、オフラインモードの携帯電話機１０に対する着信を受けると、発信元の通信端末装置に、「おかけになった電話は現在オフラインモードです。お急ぎの場合は「１」をプッシュしてください」というメッセージを送信し、緊急または重要である場合は発信者に「１」を入力するように要求する。留守番応答サービス部２３は、発信元の通信端末装置から「１」を表す情報を受信すると、着信が緊急または重要な着信であることを、制御部Ｂ２５に通知する。制御部Ｂ２５は、留守番応答サービス部２３から、着信が緊急または重要な着信であることを通知されると、着信に対する着信通知情報であるメッセージを作成し、携帯電話機１０に送信する。
【００８７】
あるいは留守番応答サービス部２３は、発信元の通信端末装置に、発信者を識別するための識別情報、たとえば暗証番号の入力を要求するメッセージを送信し、発信者に暗証番号を入力するように要求する。留守番応答サービス部２３は、発信元の通信端末装置から暗証番号を表す情報を受信すると、受信した暗証番号が予め登録されている暗証番号と一致するか否かを判定し、一致しているとき、着信が緊急または重要な着信であることを、制御部Ｂ２５に通知する。制御部Ｂ２５は、留守番応答サービス部２３から、着信が緊急または重要な着信であることを通知されると、着信に対する着信通知情報であるメッセージを作成し、携帯電話機１０に送信する。
【００８８】
このように、他の通信端末装置から特定移動通信端末装置である携帯電話機１０に着信があったとき、確認情報を発信元の他の通信端末装置に送信して、その着信が着信通知情報を特定移動通信端末装置に送信すべき緊急着信であるか否かを確認するので、発信元の他の通信端末装置から、緊急または重要であることを指示することができる。したがって、発信者の意思によって緊急または重要な情報を移動通信端末装置に通知することができる。
【００８９】
制御部Ｂ２５から携帯電話機１０へ送信するメッセージは、たとえば着信が音声通話であれば、発信者番号などを送出してもよい。あるいは着信が電子メールであれば、サブジェクト、つまり件名あるいは差出人のメールアドレス、さらにはメール本文などを送出してもよい。この場合、携帯電話機１０からは応答はないので、受信できる確率を上げるために複数回繰り返し送出してもよい。
【００９０】
緊急または重要な着信のみではなく、すべての着信を特定移動通信端末装置に通知するようにしても良い。このように、移動通信端末装置である携帯電話機１０が電波を発信することができない状態であっても、サーバはその移動通信端末装置への発信者番号などを発信するので、携帯電話機１０はその発信者番号などを受信することができる。したがって、オフラインモード中であっても、情報処理装置であるサーバは着信通知情報を送信するので、移動通信端末装置は、着信通知情報を受信することができる。受信した着信通知情報は、通知部１７によってユーザに通知することができる。
【００９１】
制御部Ｂ２５は、無線部Ｂ２１によって携帯電話機１０からオフラインモード解除通知を受け取ると、オフラインモードを解除し、その携帯電話の位置登録確認動作を再開し、オフラインモード中の携帯電話機１０に対する着信を示す着信記録情報を携帯電話機１０に送信する。
【００９２】
このように、特定領域であるオフライン指定エリア内に位置すると認識された移動通信端末装置である携帯電話機１０への着信を着信記録情報として記憶しておくので、オフラインモードが解除されたとき、携帯電話機１０に着信記録情報を送信することができる。したがって、携帯電話機１０は、オフラインモード中の着信を確実に受け取ることができる。
【００９３】
図４は、図１に示した移動通信システム１によって処理される第１のオフライン処理手順を示す図である。上部に「端末」と記された図４の左側の処理手順は、図２に示した携帯電話機１０が行う処理手順であり、制御部Ａ１５によって処理される。上部に「無線基地局または交換局」と記された図４の右側の処理手順は、図３に示したサーバ２０が行う処理手順であり、制御部Ｂ２５によって処理される。携帯電話機１０の電源が投入され、制御部Ａ１５が動作可能になるとステップＳ１に移る。
【００９４】
ステップＳ１では、通常動作において、すなわち待ち受けおよび発呼可能状態において、ＧＰＳ電波受信部１２が、ＧＰＳ衛星からの電波を受信して、抽出したＧＰＳ測位情報、つまり測位データをサーバ２０に送信する。ステップＳ２では、携帯電話機１０から受信したＧＰＳ測位情報に基づいて、携帯電話機１０の現在位置の座標計算を行う。ステップＳ３では、座標計算で求めた現在位置を、オフライン指定エリアデータベース部２２に記憶されたオフライン指定エリア情報と照合する。ステップＳ４では、座標計算で求めた現在位置がオフライン指定エリアに位置しているとき、ステップＳ５に進み、オフライン指定エリアに位置していないとき、ステップＳ２に戻る。
【００９５】
ステップＳ５では、オフライン指定エリアデータベース部２２に記憶されたオフライン指定エリア情報から、座標計算で求めた現在位置が位置するオフライン指定エリアを示す関連オフライン指定エリア情報を取得する。ステップＳ６では、取得した関連オフライン指定エリア情報を、携帯電話機１０に送信する。ステップＳ７では、送信された関連オフライン指定エリア情報を取得し、端末情報記憶部Ａ１４に格納する。
【００９６】
このように、情報処理装置であるサーバ２０で、現在位置が特定領域、つまりオフライン指定エリアに位置するか否かを判定し、移動通信端末装置である携帯電話機１０は、その判定結果を受信するので、オフライン指定エリアを示す大量のデータを記憶する必要がない。したがって、携帯電話機１０のメモリ容量を少なくし、装置を小型化、軽量化、および低価格化することができる。
【００９７】
さらに、サーバ２０は、処理速度の速いＣＰＵによって現在位置の座標計算を演算することができ、かつＡＧＰＳ等の座標補正技術を用いることができるので、より精度の高い座標計算を行うことができる。したがって、情報の発信を行う発信機能の停止を、より正確な位置情報に基づいて行うことができる。
【００９８】
ステップＳ８では、オフライン指定エリアに位置すると判定されたことに基づいて、オフラインモードへの移行を指示するオフラインモード移行命令を携帯電話機１０に発行する。ステップＳ９では、サーバ２０からオフラインモード移行命令を受信すると、オフラインモード移行命令を受信したことを示すオフラインモード移行命令確認をサーバ２０に送り、情報の発信を行う発信機能を停止すると共に、無線部Ａ１１のＲＦ送信部１１１によるＲＦ信号の送信を停止させ、オフラインモードに移行する。ステップＳ１０では、オフラインモード移行命令確認を受信すると、オフラインモード移行命令確認を送信した携帯電話機１０がオフラインモードであること示すオフラインモード情報を、端末情報記憶部Ｂ２４に記憶し、携帯電話機１０の位置登録確認動作を停止する。ステップＳ１１では、収容されている無線基地局等の所在位置関連情報を端末情報記憶部Ｂ２４に記憶する。
【００９９】
ステップＳ１２では、ＧＰＳ電波受信部１２に、ＧＰＳ衛星からの電波を受信させて、ＧＰＳ測位情報を抽出させる。ステップＳ１３では、ＧＰＳ電波受信部１２が抽出したＧＰＳ測位情報を基に、緯度、経度、および高度によって特定される現在位置の座標計算を携帯電話機１０単独で行う（以下、単独測位という）。ステップＳ１４では、端末情報記憶部Ａ１４に記憶された関連オフライン指定エリア情報と照合し、現在位置がオフライン指定エリアに位置しているか否かを判定する。オフライン指定エリアに位置しているとき、ステップＳ１９に進み、オフライン指定エリアに位置していないとき、ステップＳ２２に進む。
【０１００】
ステップＳ１５では、オフラインモード中の携帯電話機１０宛の着信があるか否かを判定する。着信のあった携帯電話機１０がオフラインモードであるか否かは、端末情報記憶部Ｂ２４に記憶しているオフインモード情報によって確認することができる。着信がないとき、ステップＳ１５に戻り、着信があるとき、ステップＳ１６に進む。着信は、音声通話の着信あるいは電子メールなどの着信を含む。
【０１０１】
ステップＳ１６では、着信の内容を着信記録情報として端末情報記憶部Ｂ２４に記憶し、その着信が、緊急または重要であるか否かを判定する。緊急または重要でないとき、ステップＳ１５に戻り、緊急または重要のとき、ステップＳ１７に進む。ステップＳ１７では、着信した内容に基づいて、着信通知情報、たとえば緊急または重要メッセージを作成する。ステップＳ１８では、作成した緊急または重要メッセージを携帯電話機１０に送信する。
【０１０２】
このように、着信が所定の条件を満足するか否か、たとえば緊急または重要であるか否かを判定することができるので、所定の条件を満足する着信のみ、移動通信端末装置である携帯電話機１０に送信することができる。したがって、緊急性あるいは重要性のある着信のみ、携帯電話機１０に送信することができる。緊急または重要な着信のみではなく、すべての着信を携帯電話機１０に送信するようにしてもよい。
【０１０３】
ステップＳ１９では、サーバ２０から緊急または重要メッセージを受信したか否かを判定する。緊急または重要メッセージを受信していないとき、ステップＳ１２に戻り、緊急または重要メッセージを受信したとき、ステップＳ２０に進む。ステップＳ２０では、受信した緊急または重要メッセージを端末情報記憶部Ａ１４に記憶する。ステップＳ２１では、緊急または重要メッセージが着信したことを示す着信情報を、通知部１７に表示して、緊急または重要メッセージの着信をユーザに通知する。着信の通知は、たとえば振動、あるいはＬＥＤ（Light Emitting Diode）等の発光によってユーザに通知してもよい。
【０１０４】
ステップＳ２２では、発信機能の停止を解除すると共に、ＲＦ送信部１１１によるＲＦ信号の送信の停止を解除して、オフラインモードを解除する。ステップＳ２３では、オフラインモードの解除を通知するためのオフラインモード解除通知をサーバ２０に送信する。ステップＳ２４では、オフラインモード解除通知を送信した携帯電話機１０について、端末情報記憶部Ｂ２４に記憶しているオフラインモード情報を、オフラインモードでないことを示す情報に書き換えて、オフラインモードに切り換わる直前の状態にする。ステップＳ２５では、携帯電話機１０の位置登録確認動作を再開する。
【０１０５】
このように、携帯電話機１０が関連オフライン指定エリア情報を記憶しておいて、ＧＰＳ測位情報に基づいて、オフライン指定エリア外に出たか否かを判定して、オフラインモードを解除するので、情報の発信および電波の発信を行うことができる。したがって、人手操作無しに通常動作に復帰することができる。
【０１０６】
すなわち、現在位置が特定領域、つまりオフライン指定エリア外であると認識されると、発信機能による発信動作の停止またはＲＦ送信手段による送信動作の停止が解除されるので、特定領域外に出ることによって、情報および電波の発信を行うことができる状態になる。
【０１０７】
さらに、オフラインモード、つまり発信動作を停止させた後、サーバ２０から取得しておいた現在位置に関連する関連特定領域情報、つまり関連オフライン指定エリア情報に基づいて、現在位置が特定領域、つまりオフライン指定エリアに位置するか否かを判定するので、すべてのオフライン指定エリア情報をサーバ２０から受信する必要がなく、さらにすべてのオフライン指定エリア情報を移動通信端末装置である携帯電話機１０に記憶する必要がない。したがって、通信情報量を減らすことができ、かつ携帯電話機１０のメモリ容量を少なくすることができる。
【０１０８】
ステップＳ２６では、その携帯電話機１０がオフラインモード中に着信した着信であって、その携帯電話機１０宛の着信を示す着信記録情報のすべてを、端末情報記憶部Ｂ２４から取得する。ステップＳ２７では、取得した着信記録情報を携帯電話機１０に送信する。ステップＳ２８では、サーバ２０から着信記録情報を受信する。ステップＳ２９では、携帯電話機１０がオフラインモード中に受信した緊急または重要メッセージ、つまり着信通知情報と、サーバ２０から受信した着信記録情報とを照合し、未受信の着信記録情報、およびエラーのあった着信通知情報に対応する着信記録情報を端末情報記憶部Ａ１４に格納し、着信があったことを示す着信情報を通知部１７に表示して、ユーザに通知して終了する。
【０１０９】
このように、発信停止期間中、つまりオフラインモード中にサーバ２０が記憶したその携帯電話機１０宛の着信を示す着信記録情報のすべてを、サーバ２０から受信し、携帯電話機１０がオフラインモード中に受信した緊急または重要メッセージ、つまり着信通知情報と比較するので、受信できなかったメッセージ、たとえば建物等の影響で電波の受信圏外であったため、あるいは電波状態が不安定であったために受信できなかったメッセージあるいは正しく受信できなかったメッセージを取得することができる。
【０１１０】
すなわち発信停止期間中に情報処理装置であるサーバが受信した着信記録情報をすべて受信し、着信検出機能が検出した着信を示す着信通知情報と比較するので、対応する着信通知情報のない着信記録情報、およびエラーのあった着信通知情報に対応する着信記録情報を取得することができる。したがって、移動通信端末装置である携帯電話機１０は、オフラインモード中の着信を確実に受け取ることができる。さらに、既取得の着信通知情報はサーバ２０から受信せず、着信通知情報と着信記録情報とを比較してから必要なものだけを取得するようにすれば、無駄な通信が発生せず、時間とトラヒックとの節約になる。
【０１１１】
通常動作は、ステップＳ１〜ステップＳ４の処理であり、オフライン開始処理つまりオフラインモード開始は、ステップＳ５〜ステップＳ１１の処理であり、オフラインモードは、ステップＳ１２〜ステップＳ２１の処理であり、オフライン終了処理つまりオフラインモード終了は、ステップＳ２２〜ステップＳ２９の処理である。
【０１１２】
図５は、図１に示した移動通信システム１によって処理される第２のオフライン処理手順を示す図である。図４に示した第１のオフライン処理手順では、オフライン指定エリアに位置するか否かの判定と、オフラインモード中の携帯電話機１０宛の着信が緊急または重要であるか否かの判定をサーバ２０で行ったが、図５に示した第２のオフライン処理手順では、これらの処理を携帯電話機１０側で行うものである。図５に示した第２のオフライン処理手順は、図４に示した第１のオフライン処理手順と重複する部分があり、相違する部分について説明する。携帯電話機１０の電源が投入され、制御部Ａ１５が動作可能になるとステップＴ１に移る。
【０１１３】
ステップＴ１では、ＧＰＳ電波受信部１２が、ＧＰＳ衛星からの電波を受信して、抽出したＧＰＳ測位情報、つまり測位データをサーバ２０に送信する。ステップＴ２では、携帯電話機１０から受信したＧＰＳ測位情報に基づいて、携帯電話機１０の現在位置の座標計算を行い、座標計算で求めた座標データを、携帯電話機１０に送信する。ステップＴ３では、受信した座標データが示す現在位置を、ユーザ設定データベース部１３に記憶されたオフライン指定エリア情報と照合する。ステップＴ１〜ステップＴ３では、ＧＰＳ測位情報をサーバ２０に送信して、サーバ２０で現在位置を求め、求めた現在位置を示す座標データを携帯電話機１０に送信しているが、携帯電話機１０のＣＰＵの処理速度が速ければ、携帯電話機１０が座標計算を行ってもよい。
【０１１４】
このように、移動通信端末装置である携帯電話機１０に記憶した特定領域情報、つまりオフライン指定エリア情報に基づいて、特定領域、つまりオフライン指定エリアに位置するか否かを判定するので、外部の装置、たとえば情報処理装置であるサーバ２０が記憶するオフライン指定エリア情報とは独立のオフライン指定エリア情報を用いることができ、かつ現在位置情報であるＧＰＳ測位情報などを送受信しなくてもよい。したがって、ユーザ独自のオフライン指定エリアを設定することができ、さらに単独測位によって座標位置の計算を行う場合には、情報処理装置であるサーバ２０とＧＰＳ測位情報などを送受信しなくてもよいので通信料金がかからない。
【０１１５】
ステップＴ４では、受信した座標データが示す現在位置がオフライン指定エリアに位置しているとき、ステップＴ５に進み、オフライン指定エリアに位置していないとき、ステップＴ１に戻る。ステップＴ５では、ユーザ設定データベース部１３に記憶されたオフライン指定エリア情報から、受信した座標データが示す現在位置が位置するオフライン指定エリアを示す関連オフライン指定エリア情報を取得する。ステップＴ６では、取得した関連オフライン指定エリア情報を、端末情報記憶部Ａ１４に格納する。
【０１１６】
ステップＴ７では、オフラインモードへの移行を要求するオフラインモード移行要求をサーバ２０に送信する。ステップＴ８では、携帯電話機１０からオフラインモード移行要求を受信する。ステップＴ９では、オフラインモードへの移行の承認を示すオフラインモード移行承認を発行する。
【０１１７】
ステップＴ１０では、オフラインモード移行承認を受信すると、情報の発信を行う発信機能を停止すると共に、無線部Ａ１１のＲＦ送信部１１１によるＲＦ信号の送信を停止させ、オフラインモードに移行する。ステップＴ１１では、オフラインモードに移行した携帯電話機１０がオフラインモードであることを示すオフラインモード情報を、端末情報記憶部Ｂ２４に記憶し、携帯電話機１０の位置登録確認動作を停止する。ステップＴ１２では、収容されている無線基地局等の所在位置関連情報を端末情報記憶部Ｂ２４に記憶する。
【０１１８】
ステップＴ１３では、ＧＰＳ電波受信部１２に、ＧＰＳ衛星からの電波を受信させて、ＧＰＳ測位情報を抽出させる。ステップＴ１４では、ＧＰＳ電波受信部１２が抽出したＧＰＳ測位情報を基に、単独測位を行う。ステップＴ１５では、端末情報記憶部Ａ１４に記憶された関連オフライン指定エリア情報と照合し、現在位置がオフライン指定エリアに位置しているか否かを判定する。現在位置がオフライン指定エリアに位置しているとき、ステップＴ１９に進み、オフライン指定エリアに位置していないとき、ステップＴ２３に進む。
【０１１９】
ステップＴ１６では、オフラインモード中の携帯電話機１０宛の着信があるか否かを判定する。着信のあった携帯電話機１０がオフラインモードであるか否かは、端末情報記憶部Ｂ２４に記憶しているオフラインモード情報によって確認することができる。着信がないとき、ステップＴ１６に戻り、着信があるとき、ステップＴ１７に進む。ステップＴ１７では、着信の内容を着信記録情報として端末情報記憶部Ｂ２４に記憶するとともに、携帯電話機１０に通知するための着信通知情報、つまり着信メッセージを作成する。ステップＴ１８では、作成した着信メッセージを携帯電話機１０に送信する。
【０１２０】
ステップＴ１９では、サーバ２０から着信メッセージを受信したか否かを判定する。着信メッセージを受信していないとき、ステップＴ１３に戻り、着信メッセージを受信したとき、ステップＴ２０に進む。ステップＴ２０では、受信した着信メッセージを端末情報記憶部Ａ１４に記憶する。
【０１２１】
ステップＴ２１では、着信したメッセージが、緊急または重要であるか否かを判定する。緊急または重要でないとき、ステップＴ１３に戻り、緊急または重要のとき、ステップＴ２２に進む。ステップＴ２２では、緊急または重要メッセージが着信したことを示す着信情報を、通知部１７に表示して、緊急または重要メッセージの着信をユーザに通知する。緊急または重要であるか否かは、たとえばオフラインモードになってからの着信回数が所定の着信回数以上になったか否か、所定の期間内の着信回数が所定の着信回数以上になったか否か、あるいは発信者が所定の発信者であるか否かなどの条件によって判定することができる。
【０１２２】
このように、着信が所定の条件を満足するか否か、たとえば緊急または重要であるか否かを判定することができるので、緊急性あるいは重要性のある着信のみユーザに通知することができる。
【０１２３】
さらに、所定の条件を、所定の着信回数以上の着信回数、あるいは所定の時間内での所定の着信回数以上の着信回数とするので、着信回数に応じて、あるいは所定の時間内での着信回数に応じて、緊急または重要であるか否かを判定することができる。したがって、同じ相手から何度も着信があった場合、あるいは所定の時間内に同じ相手から何度も着信があった場合、その着信のみユーザに通知することができる。
【０１２４】
さらにまた、所定の条件を、発信者を示す発信者情報、つまり所定の発信者とするので、発信者に応じて、緊急または重要であるか否かを判定することができる。したがって、特定の相手からの着信のみユーザに通知することができる。
【０１２５】
ステップＴ２３〜ステップＴ３０は、図４に示したステップＳ２２〜ステップＳ２９に対応するので説明は省略する。
【０１２６】
図６および図７は、図１に示した移動通信システム１によって処理される第３のオフライン処理手順を示す図である。第３のオフライン処理手順は、図１に示した第１のオフライン処理手順に、緊急を要する発信先、たとえば発信番号への発信を可能とする処理を追加したものであり、図６に示したステップＵ１〜ステップＵ１８、およびステップＵ２０〜ステップＵ３０は、図４に示したステップＳ１〜ステップＳ１８、およびステップＳ１９〜ステップＳ２９に対応するので、説明を省略する。
【０１２７】
図６に示したステップＵ１９では、入力部１６によって発信番号の入力があったか否かを判定する。発信番号の入力があったとき、図７に示したステップＵ３１に進み、発信番号の入力がなかったとき、ステップＵ２０に進む。発信番号の入力は、キーボタンからの入力に限らず、電話帳機能によって呼び出したり、音声認識機能によって入力するなどでもよい。ステップＵ３１では、入力された発信番号が、特定の宛先である予め登録された特定発信番号か否かを判定する。特定発信番号は、端末情報記憶部Ａ１４に予め登録しておく番号で、緊急特番、たとえば日本の場合であれば、警察は「１１０」、消防は「１１９」、および海上保安は「１１８」などの緊急特番としてメーカーが出荷時に予め登録しておく番号、あるいは所持者が独自に設定する番号である。入力された発信番号が特定発信番号に一致するとき、ステップＵ３２に進み、入力された発信番号が特定発信番号に一致しないとき、図６に示したステップＵ１２に戻る。
【０１２８】
ステップＵ３２では、発信機能による発信動作の停止を解除し、オフラインモードを一時解除する。ステップＵ３３では、入力された発信番号への通話を開始する。ステップＵ３４では、通話が完了したか否かを判定し、通話が完了しないときは、ステップＵ３４に戻り、通話が完了するとステップＵ３５に進む。ステップＵ３５では、発信機能による発信動作を停止させ、オフラインモードを再開し、図６に示したステップＵ１２に戻る。
【０１２９】
このように、予め定める特定発信番号に一致する発信番号が入力されると、発信機能による発信動作の停止を解除するので、その発信番号に発信することができる。したがって、緊急に連絡を要する可能性のある発信番号を予め定める特定発信番号として登録しておくことによって、オフラインモードでも、その発信番号を入力するだけで緊急の通話を行うことができる。
【０１３０】
図６および図７では、オフラインモード中のみ発信番号の入力の有無が合ったか否かを判定しているが、オフライン開始処理中およびオフライン終了処理中にも、発信番号の入力の有無が合ったか否かを判定して、緊急発信を可能にしてもよい。
【０１３１】
さらに、予め登録された緊急発信番号か否かを判定して、緊急発信を可能にしたが、暗証番号あるいはパスワードなどの識別情報を登録させておいて、登録された識別情報が入力されたときに、オフラインモードを一時解除して、入力される発信番号に発信することができるようにしてもよい。
【０１３２】
図８は、図１に示した移動通信システム１によって処理される第４のオフライン処理手順を示す図である。図４に示した第１のオフライン処理手順では、オフライン指定エリアに位置するか否かをサーバ２０で検出してオフラインモードに移行したが、図８に示した第４のオフライン処理手順では、オフラインモードへの移行を、携帯電話機１０に設けたオフラインスイッチによって行うものである。図８に示した第４のオフライン処理手順は、図４に示した第１のオフライン処理手順と重複する部分があり、相違する部分について説明する。携帯電話機１０の電源が投入され、制御部Ａ１５が動作可能になるとステップＶ１に移る。
【０１３３】
ステップＶ１では、携帯電話機１０に設けたオフラインスイッチが押下されたか否かを判定する。オフラインスイッチは、たとえば入力部１６に設けられるスイッチである。オフラインスイッチが押下されたとき、ステップＶ２に進み、オフラインスイッチが押下されないとき、ステップＶ１に戻る。ステップＶ２では、オフラインモードへの移行を要求するオフラインモード移行要求をサーバ２０に送信する。ステップＶ３では、携帯電話機１０からオフラインモード移行要求を受信する。ステップＶ４では、オフラインモードへの移行の承認を示すオフラインモード移行承認を発行する。
【０１３４】
ステップＶ５では、オフラインモード移行承認を受信すると、情報の発信を行う発信機能を停止すると共に、無線部Ａ１１のＲＦ送信部１１１によるＲＦ信号の送信を停止させ、オフラインモードに移行する。ステップＶ６では、オフラインモードに移行した携帯電話機１０がオフラインモードであることを示すオフラインモード情報を、端末情報記憶部Ｂ２４に記憶し、携帯電話機１０の位置登録確認動作を停止する。ステップＶ７では、収容されている無線基地局等の所在位置関連情報を端末情報記憶部Ｂ２４に記憶する。
【０１３５】
ステップＶ８では、携帯電話機１０に設けたオフライン解除スイッチが押下されたか否かを判定する。オフライン解除スイッチは、たとえば入力部１６に設けられるスイッチである。オフライン解除スイッチが押下されたとき、ステップＶ１６に進み、オフラインスイッチが押下されないとき、ステップＶ１３に進む。ステップＶ９〜ステップＶ２３は、図４に示したステップＳ１５〜ステップＳ２９に対応するので、説明を省略する。
【０１３６】
図８に示した例では、オフラインスイッチおよびオフライン解除スイッチを別のスイッチとして構成したが、スイッチを１つにして、オフラインモードでないときに押下されたとき、オフラインモードへの移行を指示し、オフラインモードで押下されたとき、オフラインモードの解除を指示すると判断してもよい。
【０１３７】
このように、たとえばスイッチによって、オフラインモードに切り替えることができる、すなわち情報あるいは電波の発信を停止することができる。したがって、人手操作によって、着信の検出動作をさせながら、情報あるいは電波の発信を停止することができる。
【０１３８】
図８に示した実施の形態では、オフラインモードへの移行をオフラインスイッチのみで行ったが、図４〜図７に示したＧＰＳ測位情報と併用してもよい。
【０１３９】
さらに、オフラインモードへの移行を他の方法、たとえばオフライン指定エリアであることを示す信号を特定領域内に発信する発信装置を用意し、携帯電話機１０は、その発信装置が発する信号を検出したとき、オフラインモードに移行し、発信装置からの信号を検出しなくなったとき、オフラインモードを解除するようにしてもよい。
【０１４０】
あるいはＲＦＩＤ（Radio Frequency Identification）を用いてもよい。具体的には、携帯電話機１０にＩＣ（Integrated Circuit）タグを搭載し、かつオフライン指定エリアの入出力ゲートに、ＩＣタグにアクセスするための受発信器を設置し、入出力ゲートを通過するたびに、ＩＣタグにアクセスすることによって、オフラインモードを切り替えるようにしてもよい。または携帯電話機１０にＩＣタグにアクセスするための受発信器を搭載し、入出力ゲートにＩＣタグを設置するようにしてもよい。
【０１４１】
上述した実施の形態では、オフラインモードを解除したとき、ユーザには何も通知していないが、オフラインモードに切り替えたとき、およびオフラインモードを解除したとき、モードが切り替わったこと示す情報を、たとえば通知部１７に表示することによって、ユーザに通知してもよい。さらに現在のモードを示すアイコンを通知部１７に表示するようにしてもよい。
【０１４２】
上述した実施の形態では、サーバ２０が携帯電話機１０の現在位置の座標計算、オフライン指定エリアに位置するか否かの判定、オフラインモード中の着信情報の送信および記録などの処理を行っているが、それらの処理を単一のサーバではなく複数のサーバがそれぞれ行うようにしてもよい。
【０１４３】
上述した実施の形態では、オフラインモード中の携帯電話機１０宛の着信を示す着信記録情報のすべてを、オフラインモードの解除後に、サーバ２０から携帯電話機１０に送信するようにしているが、オフラインモード中に携帯電話機１０が着信検出できなかった着信を示す着信記録のみをサーバ２０から送信するようにしてもよい。
【０１４４】
上述した実施の形態では、移動通信端末装置がオフライン指定エリアに位置していないことを確認できた場合、あるいは特定発信番号を入力した場合など、すなわち移動通信端末装置からの要求によりオフラインモードを解除する方法を説明したが、たとえば地震や洪水などの災害やテロ行為などの事件が発生、あるいは予測される場合に、交換局側から移動通信端末装置にオフライン解除を指示し、通常の通話・通信を可能とさせたり、通話・通信の発信は規制したままで位置登録・確認動作だけを回復するなどの制御も可能である。
【０１４５】
さらに上述した実施の形態では、移動通信端末装置として、携帯電話機１０を用いた例を説明したが、ＰＤＡ、ノート型パーソナルコンピュータ、およびカーナビゲーションなど通信機能を有する移動端末、ならびにその移動端末を含む移動通信システムに好適である。
【図面の簡単な説明】
【０１４６】
【図１】本発明の実施の一形態である移動通信システム１の動作を説明するための図である。
【図２】図１に示した携帯電話機１０の構成を示すブロック図である。
【図３】図１に示した無線基地局または交換局３０に設置されるサーバ２０の構成を示すブロック図である。
【図４】図１に示した移動通信システム１によって処理される第１のオフライン処理手順を示す図である。
【図５】図１に示した移動通信システム１によって処理される第２のオフライン処理手順を示す図である。
【図６】図１に示した移動通信システム１によって処理される第３のオフライン処理手順の第１の部分を示す図である。
【図７】図１に示した移動通信システム１によって処理される第３のオフライン処理手順の第２の部分を示す図である。
【図８】図１に示した移動通信システム１によって処理される第４のオフライン処理手順を示す図である。
【符号の説明】
【０１４７】
１  移動通信システム
１０  携帯電話機
１１  無線部Ａ
１２  ＧＰＳ電波受信部
１３  ユーザ設定データベース部
１４  端末情報記憶部Ａ
１５  制御部Ａ
１６  入力部
１７  通知部
２０  サーバ
２１  無線部Ｂ
２２  オフライン指定エリアデータベース部
２３  留守番応答サービス部
２４  端末情報記憶部Ｂ
２５  制御部Ｂ
３０，３１  無線基地局または交換局
１１１  ＲＦ送信部
１１２  ＲＦ受信部
【図１】
2006333363.tif 000003
【図２】
2006333363.tif 000004
【図３】
2006333363.tif 000005
【図４】
2006333363.tif 000006
【図５】
2006333363.tif 000007
【図６】
2006333363.tif 000008
【図７】
2006333363.tif 000009
【図８】
2006333363.tif 000010